(57)【要約】【課題】粒子状物質が弾性部材によって上方へ放り投げられる粒子状物質推進装置を提供する。【解決手段】グリーティングカード１２から紙吹雪９４などを推進する粒子状物質推進装置１０。推進装置１０は、支持手段１６に取付けられている粒子状物質収容装置１４を含み、支持手段１６は、エネルギーを蓄え、これによって、カード１２を開くと粒子状物質９４がカード１２から推進されるようになっている。【選択図】  図１
2004524990.tif 000002
【特許請求の範囲】
【請求項１】
グリーティングカードに関連して使用され、支持手段に取付けられている粒子状物質収容容器を備えており、使用中、前記支持手段は前記グリーティングカードから前記粒子状物質収容容器を遠ざけさせることによって前記粒子状物質収容容器内の粒子状物質が空中に推進されることを特徴とする粒子状物質推進装置。
【請求項２】
折り目により分離されている第１の面と第２の面とを備え、前記折り目が開いているときには開位置をとり、前記折り目が閉じているときには閉位置をとることを特徴とする請求項１に記載の粒子状物質推進装置。
【請求項３】
前記支持手段は第１および第２の端部を有し、前記第１の端部が前記折り目に隣接する位置にあり、前記粒子状物質収容容器が前記第２の端部に隣接する位置に取付けられていることを特徴とする請求項２に記載の粒子状物質推進装置。
【請求項４】
前記折り目の中に第１の開口および第２の開口を備え、前記支持手段が前記第１および第２の開口を通過しており、これによって前記支持手段は、前記粒子状物質推進装置の内側にあり前記第１の端部に隣接する第１の部分と、前記粒子状物質推進装置の外側にある第２の部分と、前記粒子状物質推進装置の内側にあり前記支持手段の前記第２の端部に隣接する第３の部分とを備えている請求項２に記載の粒子状物質推進装置。
【請求項５】
前記支持手段は、弾性材料で形成されていることを特徴とする請求項１から請求項４までのいずれか１項に記載の粒子状物質推進装置。
【請求項６】
前記支持手段は、ばね鋼で形成されていることを特徴とする請求項５に記載の粒子状物質推進装置。
【請求項７】
閉位置で前記粒子状物質推進装置を保持するように配置されている留め具が設けられていることを特徴とする請求項２に記載の粒子状物質推進装置。
【請求項８】
前記留め具は、前記粒子状物質推進装置の前記第２の面に位置することを特徴とする請求項７に記載の粒子状物質推進装置。
【請求項９】
前記留め具は、前記粒子状物質推進装置が閉位置にあるときに、前記粒子状物質推進装置の前記第１の面により、前記粒子状物質を解放しないようにされていることを特徴とする請求項８に記載の粒子状物質推進装置。
【請求項１０】
第１のタブが前記粒子状物質推進装置の第１の面から延びており、前記第１のタブは前記粒子状物質推進装置が前記閉位置にあるときに、前記粒子状物質収容容器と前記第２の面との間に位置するように配置されていることを特徴とする請求項９に記載の粒子状物質推進装置。
【請求項１１】
第２のタブが前記第２の面から延びており、前記第１の面の中の窓を通過するように配置され、これによって前記第１のタブが前記第１の面の外側部分に固定されているときに、前記粒子状物質推進装置は開かないようになっていることを特徴とする請求項１０に記載の粒子状物質推進装置。
【請求項１２】
前記粒子状物質推進装置は、前記閉位置にある該粒子状物質推進装置を開くことにより作動されることを特徴とする請求項１０に記載の粒子状物質推進装置。
【請求項１３】
前記粒子状物質推進装置は、グリーティングカードであることを特徴とする請求項１から請求項１２までのいずれか１項に記載の粒子状物質推進装置。
【請求項１４】
前記粒子状物質推進装置は、グリーティングカードに入れる挿入物であることを特徴とする請求項１から請求項１２までのいずれか１項に記載の粒子状物質推進装置。
【請求項１５】
前記粒子状物質推進装置は、該粒子状物質推進装置を前記グリーティングカードに取付ける取付け手段を備えていることを特徴とする請求項１４に記載の粒子状物質推進装置。
【請求項１６】
前記粒子状物質が紙吹雪であることを特徴とする請求項１から請求項１５までのいずれか１項に記載の粒子状物質推進装置。
【発明の詳細な説明】
【技術分野】
【０００１】
本発明は、粒子状物質推進装置に関する。
【背景技術】
【０００２】
紙吹雪あるいは米などの粒子状物質を空中に放り上げるのは、お祝いの表現方法としてよく見かけられる。このような形の表現方法をグリーティングカードに組込みたいと考えられている。
【０００３】
周知のタイプのグリーティングカードには、紙吹雪が入った引き裂ける包みが、閉じたカードの中に入っている。そして、グリーティングカードを開くと、包みが引き裂かれ、紙吹雪が放り投げられるようになっている。しかしながら、このようなグリーティングカードは、空中に紙吹雪を実際に推進する機構を含まない。
【０００４】
別の１つの周知のタイプのグリーティングカードには、グリーティングカードの中で巻かれている弾性部材と、弾性部材に接続されており粒子状物質を収容する包みとが設けられている。このグリーティングカードを開くと、弾性部材が解かれ、これによって、粒子状物質を収容する包みが回転し、粒子状物質が、遠心力の作用により外方へ放り投げられるようになっている。この機構では、粒子状物質を全方向に放り投げれるが、上方へは放り上げることができない。
【発明の開示】
【０００５】
本発明は、従来の粒子状物質推進装置の前述の欠点のうち、いくつかを少なくとも部分的に克服することを試みている。
【０００６】
本発明の１つの態様では、グリーティングカードに関連して使用する粒子状物質推進装置が提供され、該装置は、支持手段に取付けられている粒子状物質収容容器を備え、該装置は、使用中、支持手段が粒子状物質収容容器をグリーティングカードから遠ざけ、これによって、粒子状物質収容容器の中の粒子状物質が空中に推進されることを特徴としている。
【発明を実施するための最良の形態】
【０００７】
本発明を、以下、例示的に、添付図面を参照しながら説明する。
【０００８】
図１〜図４には、カード１２と、支持手段１６を備えた粒子状物質収容容器１４とが設けられた粒子状物質推進装置１０が示されている。図の実施形態では、カード１２は、グリーティングカードの中に挿入されように配置されているが、１つの代替実施形態ではカード１２が、グリーティングカードであることもある。
【０００９】
カード１２は、ほぼ四角方形であり、例えば板紙などの適当な材料で形成されている。カード１２には、第１の端縁１５と、第１の端縁１５と向き合っている第２の端縁１７と、頂部端縁１９と、底部端縁２１とが設けられている。カード１２のほぼ中央には、折り目１８が形成され、これによってカード１２は、第１の端縁１５から折り目１８へ延びるように設けられた第１の面２０と、折り目１８から第２の端縁１７へ延びるように設けられた第２の面２２とに分割されている。
【００１０】
カード１２には、第１の面２０のほぼ中央にある前部窓２４と、第２の面２２のほぼ中央にある後部窓２６とが設けられている。後部窓２６は、ほぼ四角方形に形成されている。前部窓２４もほぼ四角方形であり、第１の端縁１５に最も近い隅に対応する外側隅２３、２５が面取りされている。前部窓２４は、後部窓２６よりも小さく形成されている。前部窓２４には、前部窓２４の、折り目１８に隣接する端縁から延びているタブ２７が設けられている。前部および後部窓２４、２６は、カードが折り目１８に沿って閉じられると、前部窓２４が、後部窓２６の内側部分とほぼ同一空間を占めるように配置されている。
【００１１】
折り目１８には、底部端縁２１から頂部端縁１９へ向かう距離のほぼ１／３の個所に位置する第１の開口４６と、底部端縁２１から頂部端縁１９へ向かう距離の２／３の個所に位置する第２の開口４８とが設けられている。支持手段１６は、例えば、ばね鋼などの金属であって部分的に弾性を有する材料で形成されている。支持手段１６には、第１の端部５０および第２の端部５２が設けられている。支持手段１６は、第１および第２の開口４６、４８を通過するように配置されており、これによって第１の端部５０は、カード１２の内面上の第１の開口４６に隣接するようになっている。このようにして、支持手段１６には、第１の端部５０から第１の開口４６へ延びる第１の部分５８と、第１の開口４６から第２の開口４８へ延びる第２の部分６０と、第２の開口４８から第２の端部５２へ延びる第３の部分６２とが設けられている。このようにして、第１および第３の部分５８、６２は、カード１２の内側に位置し、第２の部分６０はカード１２の外側に位置することになる。第１の部分５８は、第１の開口４６で折り曲げられており、これによって折り目１８内の適所に支持手段１６が保持されるようになっている。支持手段１６は、第２の端部５２で曲げ戻されており、これによって、尖端が外方へ向かないようになっている。
【００１２】
粒子状物質収容容器１４は、支持手段１６の第２の端部５２に隣接するように配置されている。粒子状物質収容容器１４は、ほぼ四角方形の部分を備え、中央に折り目６４が形成されている。中央の折り目６４に沿って四角方形部分を折ると、３つの辺が開いている包みが形成され、第１の辺６６は、折り目６４に隣接し、使用中、支持手段１６の第２の端部５２から離れてあり、第２の辺６８は、中央の折り目６４と対向し、第３の辺７０は、第１の辺６６と対向し、使用中、支持手段１６の第２の端部５２に隣接している。粒子状物質収容容器１４は、折り曲げられると、後部窓２６とほぼ同一のサイズになる。粒子状物質収容容器１４は、適当な手段により支持手段１６に取付けられており、これによって支持手段１６は、粒子状物質収容容器１４の中央の折り目６４内に位置するようになっている。支持手段１６は、粒子状物質収容容器１４に取付けるために、折り目６４の個所でねじられることもある。粒子状物質収容容器１４は、使用者が、カード１２の前部窓２４を通して粒子状物質を目視することができるように透明な材料で形成されることもある。
【００１３】
カード１２の後部窓２６には、カードの折り目１８に隣接する第１の辺から始まって時計方向に数えて、それぞれ第１の辺８０、第２の辺８２、第３の辺８４、および第４の辺８６が設けられている。第２の辺８２、第３の辺８４、および第４の辺８６は、留め具９０を備え、留め具９０は、使用中、粒子状物質収容容器１４の第１の辺６６、第２の辺６８、および第３の辺７０を受入れるように配置されている。第２のタブ９２は、第１の辺８０に隣接する第４の辺８６に取付けられている。第２のタブ９２は、留め具９０の前にあり、これによって留め具９０は、後部窓２６と第２のタブ９２との間にあることになる。粒子状物質推進装置の動作を、以下、図面を参照して説明する。
【００１４】
粒子状物質推進装置は、最初の開位置で図１に示されており、支持手段１６の第２の端部５２は自由であり、粒子状物質収容容器１４は紙吹雪９４を挿入できるようになっている。
【００１５】
次いで支持手段１６の第３の部分６２が曲げられ、これによって位置エネルギーが蓄えられる。これは、図２に示されている。粒子状物質収容容器１６の開端縁、すなわち第１の端縁６６、第２の端縁６８、および第３の端縁７０は、後部窓２６の留め具９０内に保持され、このようにして粒子状物質９４は、粒子状物質収容容器１４内に閉込められるようになっている。
【００１６】
次いで、カード１２は折り目１８に沿って折り曲げられて、図３に示す閉位置をとる。第１のタブ２７は、粒子状物質収容容器１４と後部窓２６との間に通されるようになっている。第２のタブ９２は、前部窓２４に通され、接着テープ９６によりカード１２の外面に固定されることもある。留め具９０は、前部窓２４の面取り端縁２３、２５により、粒子状物質収容容器１４を囲んで閉じた状態に保持されている。カード１２は、この位置で安全に運ぶことができる。カード１２は、接着テープ９６を取除くと始動の準備態勢になる。
【００１７】
カードの始動の準備態勢にしてから、カードを開くと、留め具９０が前部窓２４から解放されることになる。第１のタブ２７は、粒子状物質収容容器１４を引張って、留め具９０から遠ざけるようになっている。同時に、第２のタブ９２は支持手段１６を解放するようになっている。この解放により、支持手段１６の第３の部分６２の位置エネルギーが解放され、支持手段１６は、その初期の位置にばね力により戻される。これにより紙吹雪は、図４に示すように、空中に推進される。
【００１８】
カード１２は、グリーティングカードの中に入れておけるように、外面に接着ストリップ９８を備えていることもある。カード１２は、支持手段１６の第２の部分６０を適所に保持するために折り目１８の外面に拘束部分１００も備えていることもある。
【００１９】
当業者に自明な変更および変形は、本発明の範囲内にあるものとする。
【図面の簡単な説明】
【００２０】
【図１】第１の位置にある状態の本発明に係る粒子状物質推進装置の図である。
【図２】第２の位置にある状態の図１の粒子状物質推進装置の図である。
【図３】第３の位置にある状態の図１の粒子状物質推進装置の図である。
【図４】第４の位置にある状態の図１の粒子状物質推進装置の図である。
【国際公開パンフレット】
2004524990.tif 000003
2004524990.tif 000004
2004524990.tif 000005
2004524990.tif 000006
2004524990.tif 000007
2004524990.tif 000008
2004524990.tif 000009
2004524990.tif 000010
2004524990.tif 000011
2004524990.tif 000012
2004524990.tif 000013
2004524990.tif 000014
2004524990.tif 000015
2004524990.tif 000016
2004524990.tif 000017
【国際調査報告】
2004524990.tif 000018
2004524990.tif 000019
2004524990.tif 000020